Podtech/llm-jp-corpus-v4-ja_patent huggingface dataset:
(57)【要約】【課題】  前髪を自分でカットするときに、歪みなく美しく前髪を切りそろえるための補助具、前髪カット補助具を提供する。【解決手段】  顔の上方の輪郭の一部、あるいは上方の輪郭全体を模したシートに複数本の前髪カットラインを表示した前髪カット補助具。さらにこの前髪カットシートをより使いやすくするために、前髪カット補助具の中央縦方向に中心線を表示したり、複数本の額の輪郭ラインを表示したり、シートの裏面に取り付け用シールを施した前髪カット補助具。この前髪カット補助具を額に直接貼り付け、好きな長さの前髪カットラインに従って前髪をカットする。  以上を特徴とする、前髪カット補助具である。【選択図】  図１
2007029697.tif 000002
【特許請求の範囲】
【請求項１】
顔の上方の輪郭の一部、あるいは上方の輪郭全体を模したシートに、複数本の前髪カットラインを表示した前髪カット補助具。
【請求項２】
請求項１の前髪カットシートの中央縦方向に中心線を表示した前髪カット補助具。
【請求項３】
請求項１または請求項２の前髪カットシートに複数本の額の輪郭ラインを表示した前髪カット補助具。
【請求項４】
請求項１または請求項２または請求項３の前髪カットシートの裏面に取り付け用シールを施した前髪カット補助具。
【発明の詳細な説明】
【技術分野】
【０００１】  本発明は、前髪をカットするときに、歪みなく美しく前髪を切りそろえるための補助具、前髪カット補助具に関するものである。
【背景技術】
【０００２】  従来、前髪を自分でカットする場合、鏡を見ながらハサミを使ってカットするだけで、それ以外の補助具は使わなかった。使うとすれば、櫛を使うぐらいであった。また、自分でカットできない人は美容院でカットしてもらっていた。
【発明の開示】
【発明が解決しようとする課題】
【０００３】  そのために、次のような問題点があった。
前髪をまっすぐにカットするのは難しいため、ついつい斜めに切ってしまったり、一部だけ短くなってしまったりする。修正すればするほど、おかしな形になることも多かった。
これは、ハサミの刃先だけに意識が集中するあまり、どうしても全体が見えなかったりする結果である。あるいはもともと不器用であることが原因といえよう。
また、美容院で前髪をカットしてもらう場合には費用がかかる。前髪は少し伸びただけでもうっとうしい印象を与えがちなので、まめに美容院に行くとなると、美容代がかさむ。
本発明は以上の問題点を解決しようとするものである。
【課題を解決するための手段】
【０００４】  顔の上方の輪郭の一部、あるいは上方の輪郭全体を模したシートに、複数本の前髪カットラインを表示したことを特徴とする前髪カットシート。さらにこの前髪カットシートをより使いやすくするために、前髪カットシートの縦中央に中心線を表示したり、複数本の輪郭ラインを表示したり、シートの裏面に取り付け用シールを施した前髪カットシート。この前髪カットシートを額に直接貼り付け、好きな長さの前髪カットラインに従って前髪をカットする。
以上を特徴とする、前髪カット補助具である。
【発明の効果】
【０００５】  本発明は、前髪カットラインにしたがってハサミで切っていくだけで、簡単に歪みなく美しく前髪を切りそろえることが出来る。また、自分で簡単に前髪カットが出来るために、美容院に行く回数も抑えることができ、経済的にも役立つ。さらに、子供の髪を親がカットする場合にも役立つ。
【発明を実施するための最良の形態】
【０００６】    以下、本発明の実施の形態を説明する。
（イ）顔の上方の輪郭の一部を模したシート（１）に、前髪カットライン（２）を５ミリ間隔程度で複数本表示する。なお、このシートの素材は、額の表面にしなやかに取り付けられるように、柔らかいポリエチレン素材や、シリコン素材が適している。ただ、額の骨格になじむ素材であれば、他の素材でも可能である。また、透明なシート（１）が最適であるが、色や柄がついていても可能である。
（ロ）シート（１）の中央縦方向に中心線（３）を表示する。
（ハ）前髪カットシート（１）の裏面に、額に取り付けるための、取り付け用シール（４）を一個、あるいは複数個施す。【０００７】  本発明は、以上の基本構成によりなっている。
本発明を使用するときは、まず、前髪を上げた状態で、前髪カットシート（１）を、取りつけ用シール（４）で直接額に貼り付ける。このときに中心線（３）が顔の中心に来るように、鼻の位置や眉毛の位置を確認しながら、まっすぐに貼り付ける。それから、前髪を下ろして、自分の好みの長さの前髪カットライン（２）にしたがってハサミを動かし、前髪を切る。このときはもちろん、普通に前髪を切るとき同様、目や皮膚を傷つけないように慎重に切る。
この結果、歪みなく美しく前髪をカットすることができる。【０００８】  また、上記の基本構成の変形例を挙げる。
人の顔の大きさはさまざまなので、前髪カットシート（１）の大きさを調節しなければならない場合がある。その場合用に、前髪カットシート（１）を自分の輪郭に合わせて切り取れるように、顔の輪郭ライン（５）を複数本表示したタイプも変形例の一つとして必要となる。
このタイプは、まず、鏡の前でどの輪郭ライン（５）が自分に適しているか、直接額にあてて確認した上で、切り抜いて使う。【０００９】  さらに、他の実施例として、顔の上方の輪郭の一部ではなく、顔の上方の輪郭全体を模したシート（６）にすることもできる。【００１０】  前髪カットライン（７）は、個々人の好みに対応するように、直線的なカットラインや、ゆるくカーブを描いたカットラインタイプなどが必要となる。さらには個性的に、わざと斜めにカットできるカットラインや、有名人に似せたカットライン（昔のチェッカーズのような）など、さまざまなバリエーションのカットラインを表示することも可能である。
【図面の簡単な説明】
【００１１】
【図１】  本発明の正面図
【図２】  本発明の裏面図
【図３】  本発明の使用状態を示す正面図（図１のタイプの前髪カットシートの取り付け方）
【図４】  本発明の使用状態を示す図
【図５】  本発明の他の実施例を示す図
【図６】  本発明の他の実施例を示す図
【符号の説明】
【００１２】    １  シート
２  前髪カットライン
３  中心線
４  取り付け用シール
５  輪郭ライン
６  シート
７  前髪カットライン
【図１】
2007029697.tif 000003
【図２】
2007029697.tif 000004
【図３】
2007029697.tif 000005
【図４】
2007029697.tif 000006
【図５】
2007029697.tif 000007
【図６】
2007029697.tif 000008
(57)【要約】【課題】オートバイ乗車時における停車中の足付き性の向上。【解決手段】靴底に延長器具を装着することで靴底を延長し足付き性を向上する。靴底が厚くなることで悪化するペダル操作性を器具を独自の形状とすることで防止する。器具の形状は同時にオートバイへの安全な乗降運動を可能とする。【選択図】図２
2007029651.tif 000002
【特許請求の範囲】
【請求項１】
オートバイ乗車において、停車中の足付き性を向上させるための靴底延長器具。
【請求項２】
オートバイ乗車において、走行中のペダル操作性に支障のない靴底延長器具。
【発明の詳細な説明】
【技術分野】
【０００１】
オートバイの停車中における疲労軽減、転倒防止補助に関する。
【背景技術】
【０００２】
大型オートバイを運転する際、日本人体型では足付き性が悪い状況がよく見られる。足付き性が悪いための停車時の転倒事故も少なくない。
【０００３】
上記に加え足付き性を向上させるための厚底靴が既知であるが、それらは走行中のペダル操作性に大きく影響する。足付き性向上とペダル操作性は相反するものである。
【０００４】
本靴底延長器具においては、停車時の足付き性向上と走行時のペダル操作性確保の両立が可能。
【発明の開示】
【発明が解決しようとする課題】
【０００５】
オートバイ運転中は頻繁に繰返される停車において足付き性が悪いことで起こる運転者の足の疲労、それに伴う停車時の転倒事故。足付き性を向上するために起こるペダル操作性悪化の排除。
【課題を解決するための手段】
【０００６】
靴底を４０ｍｍから５０ｍｍ延長することで停車時の足付き性を向上し、疲労の軽減と停車時の転倒事故防止を補助する。
【０００７】
器具と地面が接地する面とペダルを操作する部分とに段差を設け、走行中のペダル操作性を確保する。
【０００８】
器具と地面とが接する面の形状を独自の形状とすることで足付き性向上とペダル操作性確保を両立すると共に、オートバイへの安全な乗降を確保する。
【発明の効果】
【０００９】
運転者の足付き時の疲労軽減、停車時の転倒事故防止の補助と走行中におけるペダル操作性確保の両立。
【発明を実施するための最良の形態】
【００１０】
靴に器具を装着することで靴底を延長。
【００１１】
器具の底面とペダル操作部には段差を設ける。
【００１２】
安全な乗降を確保するための独自の形状。
【実施例１】
【００１３】
停車中：装着した器具の底面で地面を踏むことで、足付き性が向上する。
【００１４】
走行中：器具の底面より一段上がった部分でペダルを操作する。 
【００１５】
乗降時：器具の底面の形状により、安全な姿勢でオートバイへの乗降をすることができる。
【産業上の利用可能性】
【００１６】
大型オートバイの運転を希望するが、足が地面に届かないために運転を断念している潜在層や女性への大型オートバイの普及が可能であり、既存の利用者においても安全性、快適性の向上により利用機会の増加や継続的なオートバイの需要が期待できる。
【図面の簡単な説明】
【００１７】
【図１】本発明の形状を示す見取り図
【図２】本発明の底面の形状を示す見取り図
【図３】装着状態の側面図
【符号の説明】
【００１８】
１    固定用バンド
２    固定補助用バンド
３    独自形状靴底
４    靴
【図１】
2007029651.tif 000003
【図２】
2007029651.tif 000004
【図３】
2007029651.tif 000005
(57)【要約】【課題】一枚の鏡で通常の鏡像と拡大された鏡像を映すことのできる鏡で、軽量かつ携帯時の安全性を確保した鏡を提供すること。【解決手段】表面の一部がフレネルレンズ構造に加工されたプラスチックの平板を基材とすることを特徴とする鏡。【選択図】  図１
2007029670.tif 000002
【特許請求の範囲】
【請求項１】
表面の一部がフレネルレンズ構造に加工されたプラスチックの平板を基材とすることを特徴とする鏡。
【発明の詳細な説明】
【技術分野】
【０００１】本発明は、一枚の鏡で通常の鏡像と、拡大された鏡像を映すことのできる鏡に関するものである。
【背景技術】
【０００２】  外出中に化粧したり、化粧直ししたりするために、比較的大型のガラス製の平面鏡を携帯している女性が多い。しかし、大型のガラス製鏡は重く、破損のおそれもある。
また、拡大鏡は皮膚の細部の観察、コンタクトレンズの着装などに便利なため、携帯したいものであるが、通常市販されているものはガラス製で二枚組のものである。この場合安全上の問題点は変わらず、重量はさらに重くなり携帯に不便である。
【特許文献】  特開２００４−３２１５６５号公報
【発明の開示】
【発明が解決しようとする課題】
【０００３】  本発明が解決しようとする課題は、上述のような問題を解決した、軽量でかつ携帯時の安全性を確保した鏡を提供することにある。
【問題を解決するための手段】
【０００４】  本発明者は、上記課題に鑑み鋭意検討した結果、特定の構造と構成を採用すれば、上記課題を容易に解決できることを見出し、本発明を完成するに至った。
すなわち、本発明の要旨は、鏡を作成するにあたり、表面の一部がフレネルレンズ構造に加工されたプラスチックの平板を基材とすることを特徴とすることある。
【発明の効果】
【０００５】  本発明によれば、軽量でかつ携帯時の安全性を確保した鏡を提供することができ、本発明の工業的価値は高い。
【発明を実施するための最良の形態】
【０００６】  以下、本発明を具体的に説明する。
本発明における、鏡の基材となるプラスチック素材としては、例えばアクリル樹脂、ポリカーボネート樹脂、サイクリックポリオレフィンなどの透明樹脂があげられる。【０００７】  本発明における鏡の基材となるプラスチックの平板は、その平面の一部がフレネルレンズ型に加工されていることに特徴を有するものであるが、その作成には、プレス用金型を用いて、プラスチック平板を該金型で熱プレスすることにより、あるいは射出成型用の金型を用いて、樹脂を射出成型することによって作成しても良いが、プレス成型による方が、金型に、より忠実な成型物を得ることが可能であり、得られた成型物の歪の少なさに起因する、映像の鮮明さなどの点で好ましい。
得られた成型物の裏面に、例えばアルミニュウム等の金属を蒸着加工あるいは鍍金加工等を施すことによって、拡大鏡の部分を有する鏡をうることができる。さらに、鏡の表面には、ハードコート層を設けて、擦り傷などを防ぎ、鏡の明度の劣化を抑制することができる。また実用上は、該鏡の裏面に補強用の平板、周囲には縁などをつけて製品とされる。
【実施例】
【０００８】  図１は、本発明の一例を示す概略説明図であり、鏡の平面図である。１で示した部分が鏡の平面部であり、２で示した部分がその裏面がフレネルレンズの構造を形成している部分であり、拡大像が写る部分である。この図においては、フレネルレンズ構造部分は模式的に表現されている。
図２は鏡の断面図であり、１が鏡の平面部であり、２が、フレネルレンズ構造部分である。該部分の形状は模式的に表現されているが、その裏面の表面が金属の蒸着などにより金属薄膜層３が形成され、凹面鏡の機能を、したがって像を拡大する機能を有する。平面部分は、フレネルレンズ構造部分と同様に金属の蒸着などにより金属薄膜層３に覆われて通常の鏡として機能する。４は金属層表面の保護のための塗装層である。
【産業上の利用可能性】
【０００９】  本発明は、軽量でかつ携帯時の安全性を確保した鏡として、主として女性の外出時の化粧鏡としてのみならず、近くのものが見えにくくなった中高年男性の旅行時使用する髭剃り鏡として利用することができる。
【図面の簡単な説明】
【００１０】
【図１】  本発明の鏡の説明図（平面図）である。
【図２】  本発明の鏡の説明図（ａ−ａ’の位置の断面図）である。
【符号の説明】
【００１１】  １  平面部分
２  フレネルレンズ構造部分
３  金属薄膜層
４  保護塗装層
【図１】
2007029670.tif 000003
【図２】
2007029670.tif 000004
(57)【要約】【課題】  従来、輸液装置用シリンジポンプにおいてはハウジングが上下２段に分割できるようになっているが、その上段にはプッシャーの支持パイプを含む部分が内蔵されており、これら部分のメンテナンスが困難であった。【解決手段】  本発明の輸液装置用シリンジポンプにおいては、モータで駆動される送りねじを有し、該送りネジに係合し支持パイプによって支持され直線運動可能なプッシャーによりシリンジの押し子を押圧し液体を送出する構成の輸液装置用シリンジポンプであって、上記シリンジポンプのハウジングが、上記支持パイプの貫通孔を上下に２分する形で上下２部分に分割されている。【選択図】  図１
2007029649.tif 000002
【特許請求の範囲】
【請求項１】
モータで駆動される送りねじを有し、該送りネジに係合し支持パイプによって支持され直線運動可能なプッシャーによりシリンジの押し子を押圧し液体を送出する構成の輸液装置用シリンジポンプであって、上記シリンジポンプのハウジングが、上記支持パイプの貫通孔を上下に２分する形で上下２部分に分割されていることを特徴とする輸液装置用シリンジポンプ。
【発明の詳細な説明】
【技術分野】
【０００１】
本発明は輸液装置用シリンジポンプ、特に、血液透析装置に用いる輸液装置用シリンジポンプに関するものである。
【背景技術】
【０００２】
一般に血液透析装置の働きは、「血液ポンプ」を使用して血液を体外に導き出して老廃物や余分な水分の除去、正常なイオン化等を行った後、再度血液を体内に戻す作業を行うことである。この時、体外に出た血液は、血管外の「異物」と接触して「凝固」する働きがあるので血液ポンプを用いて体外に出た血液の凝固を防ぐために通常は体外循環中の血液に抗凝固剤のヘパリンを持続的に注入する。このためのポンプをシリンジポンプと称している。
【０００３】
このような、輸液用シリンジポンプとしては特許文献１に示すものがある。
【特許文献１】特開平１０−１９２３９８号公報
【０００４】
このような従来のシリンジポンプは図４及び図５に示すようにシリンジポンプのハウジング１を上下２段１ａ，１ｂに分割しており、上記ハウジング１の上段１ａにはシリンジ２の受け台３、シリンジ押えガイド４、シリンジ押し子用プッシャー５及びこのプッシャー５を摺動自在に支持する支持パイプ６等を有する。
【０００５】
上記ハウジング１の下段１ｂにはシリンジベース７、上記プッシャー５の駆動源となるモータを動作するためのモータドライバ、ポンプに搭載されたセンサ信号の処理回路等を有する。
【０００６】
なお、８はハウジング１の上段１ａに形成した上記支持パイプ６のための貫通孔である。
【発明の開示】
【発明が解決しようとする課題】
【０００７】
然しながら、上記従来のシリンジポンプにおいては、上記ハウジング１の上段１ａ内にプッシャー５の支持パイプ６を含む部分が内蔵されており、これらの部分を露出できず、そのメンテナンスが困難となる欠点があった。
【０００８】
本発明は上記の欠点を除くようにしたものである。
【課題を解決するための手段】
【０００９】
本発明の輸液装置用シリンジポンプは、モータで駆動される送りねじを有し、該送りネジに係合し支持パイプによって支持され直線運動可能なプッシャーによりシリンジの押し子を押圧し液体を送出する構成の輸液装置用シリンジポンプであって、上記シリンジポンプのハウジングが、上記支持パイプの貫通孔を上下に２分する形で上下２部分に分割されていることを特徴とする。
【発明の効果】
【００１０】
本発明の輸液装置用シリンジポンプにおいてはプッシャー５の支持パイプ６を貫通せしめる孔８を上下に２分する形でハウジング１を上下２段に分割したので支持パイプ６を含む部分を外部に露出でき、そのメンテナンスが極めて容易となる。
【発明を実施するための最良の形態】
【００１１】
以下図面によって本発明の実施例を説明する。
【実施例１】
【００１２】
本発明においては図１〜図３に示すように上記プッシャー５の支持パイプ６の貫通孔８を上下に２分する形で上記ハウジング１を上下２部分１ａ，１ｂに分割せしめる。
【００１３】
本発明の輸液装置用シリンジポンプにおいてはハウジング１を上下２段に分割したときプッシャー５の支持パイプ６部分が外部に露出される形となるため、露出されない場合に比べそのメンテナンスが極めて容易となる。
【図面の簡単な説明】
【００１４】
【図１】本発明の輸液装置用シリンジポンプをそのハウジングを上下に分割し離間せしめた状態で示す側面図である。
【図２】図１に示す輸液装置用シリンジポンプの平面図である。
【図３】図２に示す輸液装置用シリンジポンプの正面図である。
【図４】従来の輸液装置用シリンジポンプをそのハウジングを上下に分割し離間せしめた状態で示す側面図である。
【図５】図１に示す輸液装置用シリンジポンプの平面図である。
【符号の説明】
【００１５】
１    ハウジング
１ａ  上段
１ｂ  下段
２    シリンジ
３    受け台
４    押えガイド
５    プッシャー
６    支持パイプ
７    シリンジベース
８    貫通孔
【図１】
2007029649.tif 000003
【図２】
2007029649.tif 000004
【図３】
2007029649.tif 000005
【図４】
2007029649.tif 000006
【図５】
2007029649.tif 000007
(57)【要約】      （修正有）【課題】景品流通における偽造等の不正行為の防止と共に在庫管理（売上管理）、景品の位置管理等そのたの情報を容易に一元管理すると共にコストを最少にする。【解決手段】電磁誘導方式を用いたＩＣモジュール（ＩＣチップとアンテナ）を実装する景品を使用し、外部交換所においてゲート（リーダー／ライター）を通過するだけで景品に付随した情報を瞬時に読み込み、ＬＡＮによりＰＣとの情報交換を行い、正確な計数を把握、偽造品の流入を防ぐ。また、ライターにより異なる情報を書き込むことにより、より偽造等の不正行為を防止し、一元管理が行えるようになる。【選択図】図１
2007029686.tif 000002
【特許請求の範囲】
【請求項１】
複数個の景品を収納部に収納すると共に、収納部に積載された景品を下方に下降させるリフト機構と、このリフト機構に対応した収納部の下方から景品を繰り出す繰り出し機構と繰り出された景品を出口まで移動させるベルトコンベア機構の間の上部にリーダーを装備し、移動する景品に実装した非接触型モジュールの情報を読み込む記録検知手段を備えることを特徴とした景品計数装置。
【請求項２】
複数個の景品を種類別に収納するユニットを備え、請求項１と同様に収納部に積載された景品を下方に下降させるリフト機構と、このリフト機構に対応した収納部の下方から景品を繰り出す繰り出し機構と繰り出された景品を出口まで移動させるベルトコンベア機構の間の上部にライターを装備し移動する景品に実装した非接触型モジュールに情報を書き込み偽造防止のために異なった景品を作成することを可能にしたことを特徴とした記録装置。
【発明の詳細な説明】
【技術分野】
【０００１】  本発明は、機体内部のリーダーの下をパチンコ等の特殊景品が通過することにより、この景品が実装している非接触型ＩＣモジュールの情報の指示に従い交換に値する対価を計測し正確に計数することができる真贋判別機における景品計数装置に関する。また、ライターにより非接触型モジュールに異なる情報を書き込むことができ、偽造などの不正行為を防止することを特徴とした記録装置に関する。
【背景技術】
【０００２】  従来の景品は偽造などの不正行為を防ぐために、美術工芸品などを内蔵したりバーコードを装着し真贋を判別していた。また、レシートを添付することにより防止していた。
【発明の開示】
【発明が解決しようとする課題】
【０００３】しかしながら、以上の技術によれば、印刷技術などの向上により偽造品などを造ることは容易になり不正行為が防止できなくなってきている。また、遊戯店内の景品払出機では、１日の業務項目の中で「景品入庫」「景品の払い出し（出庫）」「景品の補充」「景品の在庫（計数）管理」が順次行われており、特に近年では、不正防止の観点から、景品払い出し機内にしゅうのうされている複数個の景品の数量を正確に計数する在庫管理が重要な管理項目となっている。
そこで、この発明は、偽造などの不正行為を防止し、尚且つ正確な計数を把握でき在庫管理、売上管理等をＰＣと接続することによる一括管理を提供することを課題とする。
【課題を解決するための手段】
【０００４】  以上の課題を解決するために、第一発明は、景品に内臓、もしくは添付した非接触型モジュールの情報を読み込みＰＣにより内部のホストコンピュータに情報を送り情報の一元化ができることにある。
また、第二発明は、景品に内臓、もしくは添付した非接触型モジュールに異なる情報を書き込むことにより、異なる日の新たな景品とし、偽造などの不正行為を未然に防ぐことにある。
【発明の効果】
【０００５】  第一発明、または第二発明によれば、偽造などの不正行為を未然に防ぐとともに情報の一元化ができ、瞬時に景品入庫」「景品の払い出し（出庫）」「景品の補充」「景品の在庫（計数）管理」ができる。
【発明を実施するための最良の形態】
【０００６】  この発明の一実施形態を、図１に示す。
真贋機内を非接触型モジュールを実装した景品が通過中に、リーダーにより情報を読み込みＬＡＮを通じＰＣに情報を伝達、判別し現金払い出し機に情報を伝達し払い出しを行う。
また、在庫状況により、店内のＰＣにより非接触型モジュールを実装した景品に情報を書き込みを行う。【０００７】「実施形態の効果」
この実施形態によれば、従来の煩雑な計数管理や、在庫管理が容易になり、偽造などの不正行為が未然に防止できるようになる。【０００８】「他の実施形態」
図１の実施形態では、リーダーとライターは別の機械に装着されているが１台に同時に装着もできる。
【産業上の利用可能性】
【０００９】  この発明は、他の製品の真贋にも使用が可能であり、製造業、物流業など幅広い分野での利用が可能である。
【図面の簡単な説明】
【００１０】
【図１】この発明の一実施形態を示す斜視図である。
【図２】非接触型ＩＣモジュールを内臓した景品を示す斜視図である。
【図３】非接触型ＩＣモジュールを添付した景品を示す斜視図である。
【符号の説明】
【００１１】  １  真贋機本体            ２  計数表示モニター
３  金額表示モニター      ４  リフト機構
５  繰り出しモーター      ６  リフトモーター
７  ベルトコンベア        ８  コンベアモーター
９  リーダー            １０  払い出し口
１１  受け皿              １２  ＰＣ
１３  書き込み専用機本体  １４  ライター
【図１】
2007029686.tif 000003
【図２】
2007029686.tif 000004
【図３】
2007029686.tif 000005
(57)【要約】【目的】スポンジを使用する事により、機械内部に保管でき、蒸発効果にも優れ、充填可能となる。【構成】スポンジに、消臭液を浸透させる。【特許請求の範囲】
【請求項１】
スポンジに消臭剤を浸透させ大気中に消臭剤を蒸発させる為の物。
【発明の詳細な説明】
【考案の詳細な説明】
【産業上の利用分野】
【０００１】この考案は、スポンジに消臭剤を浸透させる物である。
【背景技術】
【０００２】従来、布製の物を使用した物はあった。
【考案が解決しようとする課題】
【０００３】これは次のような欠点があった。
（イ）たくさん浸透すれば溶液が垂れる
（ロ）浸透性が遅い
【問題を解決するための手段】
【０００４】スポンジを使用する事により、吸収性の速さ、浸透した溶液の維持確保ができる
【考案の効果】
【０００５】機械内部に保管でき充填可能になる。
蒸発効果にも、優れている。
(57)【要約】【課題】  運動．娯楽．健康目的．リハビリに投げ打ち握り転がして屋内外で子供も高齢者もいつでもどこでも楽しめる柔軟で軽く体にやさしい小形でカラフルな万能型の健康ボールを提供する。【解決手段】  小形で円柱形のボールの表面（１）をカラフルな軟質材にしてボール内部には表面の接合部（５）から軽量の球形粒（２）と円筒粒（３）などの２種類以上の粒を薄地の網袋（４）に詰めて納めた柔軟で軽量のボールであり．持ち運び自由で多目的に使用できて表面が破損しても粒が露出しなく握り心地が良く安全である。【選択図】          図１
2007029682.tif 000002
【特許請求の範囲】
【請求項１】
小形で円柱形の表面（１）はカラフルで柔軟な材質でありボールの内部には接合部（５）から軽量の球形粒（２）や円筒粒（３）などの２種類以上の粒を薄地の網袋（４）に詰めて納めた万能型の健康ボール。
【発明の詳細な説明】
【技術分野】
【０００１】本発明は．ボールの内部に２種類以上の粒を網に包み挿入したカラフルで軟質．軽量な円柱形で小形のボールであり．運動．娯楽．健康目的．リハビリなど多目的に利用できる万能型の健康ボールに関するものである。
【背景技術】
【０００２】従来より丸形のボールは多数あるが使用法が限られていて多目的に使用できるボールはなかった。また．破損したら使えない。
【発明の開示】
【発明が解決しようとする課題】
【０００３】これには次のような欠点があった。
（イ）．破損したら再利用ができない。
（ロ）．自由にポケットに入れて持ち運びができない。
（ハ）．投げ打ち握り転がしてなど多目的に使えない。
（ニ）．使用する年齢層が限られている。
（ホ）．体に当たると痛い。
本発明は以上の欠点を解決するためになされたものである。
【課題を解決するための手段】
【０００４】小形で円柱形のボールの表面（１）をカラフルな軟質材にしてボール内部には表面接合部（５）から軽量の球形粒（２）と円筒粒（３）などの２種類以上の粒を薄地の網袋（４）に詰めて納めた柔軟で軽量のボールであり．持ち運び自由で多目的に使用できて握り心地が良く破損しても粒が露出しない。
本発明は以上の構成よりなる万能型の健康ボールである。
【発明の効果】
【０００５】本発明は．円柱形で柔軟．軽量．小形のカラフルなボールで内部粒が心地良く投げ打ち握り転がしてなど使用法が豊富で体に当たっても痛くなく持ち運び自由なので子供も高齢者も屋内外でいつでもどこでも運動．娯楽．リハビリ健康目的など多目的に楽しく利用できる。
以下．本発明の実地の形態について説明する。
（イ）．小形で円柱形のボールの表面（１）をカラフルな軟質材にする。
（ロ）．ボールの接合部（５）から軽量の球形粒（２）と円筒粒（３）を網袋（４）に詰めてボール内部に挿入して接合部（５）を閉じる。
【実施例１】
【０００６】
【図面の簡単な説明】
【０００７】
【図１】本発明の斜透視図である。
【図２】本発明の平面図である。
【図３】本発明の図２のａ線の断面図である。
【符号の説明】
【０００８】１    表面
２    球形粒
３    円筒粒
４    網袋
５    接合部
【図１】
2007029682.tif 000003
【図２】
2007029682.tif 000004
【図３】
2007029682.tif 000005
(57)【要約】      （修正有）【課題】遊戯結果に対して速やかに、又機械的に行うことにより正確、且つ安全に買取り遊戯結果に対する対価を支払う。【解決手段】  遊戯利用者が計数機を通し、その遊戯結果に対し希望する景品の内、換金に対してその場にて払い出し利用者の再遊戯につながり稼働率の上昇に貢献できる。又、貯玉等を行っている遊戯施設では、余りをそれに追加記録できる。可動式なので、島端、カウンター等何処でも移動できる。遊戯結果に対して速やかに、又機械的に行うことにより正確、且つ安全に買取り遊戯結果に対する対価を支払うことができる。店内に設置できるので防犯上あんぜんである。【選択図】図１
2007029685.tif 000002
【特許請求の範囲】
【請求項１】
本機は、計数機と現金払い出し、また余り玉、コイン、チップの払い出し機能を備えるとともに、ＬＡＮにてＰＣと接続されておりレートの設定、現金（景品）入出金管理、計数管理等が出来るものである。
【発明の詳細な説明】
【技術分野】
【０００１】  利用者が玉等を本機にて計数し、各両替の単位毎に本機内のリフトを通じストックされ、余り玉等を計数し島等に排出する。又一般景品を利用者が要求した場合には、ボタン操作にてレシート又ｈカード（以下レシート）が発行することが出来る。本機には、現金（景品）入出金データ、払い戻し余り玉等の数量カウンター、計数機等が内蔵され、ＰＣとのＬＡＮでの接続が可能である。また、レートの設定なども容易に行うことができる。
【背景技術】
【０００２】  従来は特殊景品の買取りを行う場合には、遊技場等からは離れた場所で行っていたため、強盗、盗難、傷害等ぼ事件が発生し易く、又人為的作業のため金銭上のトラブルもあった。
【発明の開示】
【発明が解決しようとする課題】
【０００３】  本払い出し機は、遊戯結果に対して速やかに、又機械的に行うことにより正確、且つ安全に買取り遊戯結果に対する対価を支払うことができる。
【課題を解決するための手段】
【０００４】  遊戯利用者が計数機を通し、その遊戯結果に対し希望する景品の内、換金に対してその場にて払い出すことにより稼働率の上昇に貢献できる。又、貯玉等を行っている遊戯施設では、余りをそれに追加記録でき、余り玉等での遊戯希望者には余り玉を払い出す。可動式なので、島端、カウンター等何処でも移動できる。
【発明の効果】
【０００５】    その場での現金払い出しにより、何よりも買取り人の安全を確保でき、遊技場関係者は、その分省エネとなり本来のサービス業に従事することができる。
【発明を実施するための最良の形態】
【０００６】「実施形態の効果」
この実施形態によれば、従来の煩雑な計数管理や、在庫管理が容易になり、防犯の観点からもより安全となる。【０００７】「他の実施形態」
図１の実施形態では、現金が払い出されるようになっているが、景品払い出し機としての使用も可能である。
【産業上の利用可能性】
【０００８】  この発明は、パチンコ、スロット等の遊戯施設の他にカジノ等でも使用が可能である。又、手動装置を装着することにより、質屋等の防犯が必要な業種でも使用できる。
【図面の簡単な説明】
【０００９】
【図１】この発明の一実施形態を示す斜視図である。
【符号の説明】
【００１０】    １  ジェットカウンター    ２  余り玉、コイン、チップ払い出し口
３  計数機                ４  表示パネル
５  現金（景品）払い出し口
【図１】
2007029685.tif 000003
(57)【要約】【課題】在宅介護で寝たきりの重病人の介護は全てベッド上で行われている。毎日のケアの中で行う排泄処理は、被介護者の身体を持ち上げたり移動したりするので、介護者、特に老老介護者にとっては大きな介護負担となっている。【解決手段】ベッドの上に箱型パレットとエアーマットを乗せ、各々の中央部に排泄処理用開孔部を設ける。箱型パレットの側面にはＬ型スライド板を設け、便器を所定の位置に置きスライド板を押し込むと便器は開孔部の下に位置し、被介護者のお尻の下に便器がセットされるので、両膝を持ち上げたり身体に触る事無く便器の着脱と、排泄物の処理が簡単に出来る。【選択図】図１
2007029688.tif 000002
【特許請求の範囲】
【請求項１】
排泄物を処理する開孔部を設けたことを特徴とするエアーマット。
【請求項２】
排泄物を処理する開孔部と、側面に差し込み便器を着脱する、Ｌ型スライド板を設けたことを特徴とする木製箱型パレット。
【発明の詳細な説明】
【技術分野】
【０００１】この発明は、在宅介護で排泄ケアの負担軽減を図った排泄対応型介護ベッドに関する
【背景技術】
【０００２】従来、寝たきり患者や重病人の排泄処理は、ベッド上で紙オムツや差込み便器が使用される【０００３】以下、紙オムツの使用は濡れ、汚れて不快感や不潔であり、差込み便器は違和感、痛みで長時間使用出来ず、装着する時は両膝を持ち上げたたり、身体を横向きにしたりする。
【発明の開示】
【発明が解決しようとする課題】
【０００４】  以上に述べた従来の排泄処理方法では、被介護者も不快であり、介護者も、介護負担が大きい。【０００５】  本発明は、在宅介護者の排泄ケアの負担軽減を実現することを目的とするものである。
【問題を解決するための手段】
【０００６】  本発明は上記目的を達成するためにベッドの上に木製箱型パレット、その上にエアーマットを乗せ、各々には排泄処理用開孔部を設けている。木製箱型パレットの側面には、Ｌ型スライド板を設け、差込便器を乗せ開孔部の下に差し込み着脱する。
【発明の効果】
【０００７】本発明の排泄対応型介護ベッドは、被介護者の身体を横向きにしたり、両膝を持ち上げたりせず差込み便器の着脱ができるので介護負担軽減の効果が大きい。
【０００８】排泄物によって身体が、濡れたり、汚れたりしないので清潔保持、不快感、不潔感がない。発明品の構造がシンプルであり、片手で持ち運べて、安価な差込便器が活用できる。
【発明を実施するための最良の形態】
【０００９】以下、本発明の実施の形態を図１から図４に基づいて説明する。【００１０】図において、１はベッド本体、２は木製箱型パレット、３はエアーマット、４は２の側面に設けたＬ型スライド板、５便器を乗せて差し込むと、５は６排泄処理開孔部の下に収まる７は２の開孔部の開閉板、８は背部上下用蝶番、９はエアーポンプ、１０は送気チューブ、１１は３エアーマット開孔部の送気チューブ。【００１１】以下、上記構成の動作を説明する。４Ｌ型スライド板の所定の位置に５便器を乗せ差し込むと、５は６排泄処理開孔部の下に位置し、被介護者のお尻の下に収まるので、オムツカバーとオムツを２木製箱型パレット内に下ろし、背中の方へ押し込み、お尻の位置を確認して５便器を差し込むと被介護者を持ち上げたり、横向きにしたりせず便器の着脱ができる。【００１２】用足し後は、オムツとオムツカバーを着用させ、７開閉板を閉めて、４Ｌ型スライド板を引き出し処理する。処理後は、４Ｌ型スライド板に５便器を乗せて収納する。
【図面の簡単な説明】
【００１３】
【図１】本発明の実施形態を示す排泄対応型介護ベッドの斜視図
【図２】木製箱型パレットの平面図
【図３】エアーマットの平面図
【図４】排泄対応型介護ベッドのＡ−Ａ線断面図
【符号の説明】
【００１４】１、ベッド本体。２、木製箱型パレット。３、エアーマット。４、Ｌ型スライド板。５、便器。６、２と３の排泄用開孔部。７、２の排泄開孔部の開閉版。８、蝶番。９エアーポンプ。１０、送気チューブ。１１、３の開孔部の送気チューブ。
【図１】
2007029688.tif 000003
【図２】
2007029688.tif 000004
【図３】
2007029688.tif 000005
【図４】
2007029688.tif 000006
(57)【要約】      （修正有）【課題】フェースの方向を正常な状態でかまえる事が難しい。【解決手段】水準器を取りつける。【選択図】図１
2007029690.tif 000002
【特許請求の範囲】
【請求項１】
水準器を取り付けたパター
【発明の詳細な説明】
【発明の詳細な説明】
ゴルフパターのフェースの後ろに水準器を取り付けることで水平にかまえる事が出来フェースを正常な方向にたもつ。
【図面の簡単な説明】
【図１】  本考案の斜視図
【符号の説明】
１はパター
２は水準器
【図１】
2007029690.tif 000003
(57)【要約】      （修正有）【課題】遊戯結果に対して速やかに、又機械的に行うことにより正確、且つ安全に買取り遊戯結果に対する対価を支払う。【解決手段】  遊戯利用者が計数機を通し、その遊戯結果に対し希望する景品の内、換金に対してその場にて払い出し利用者の再遊戯につながり稼働率の上昇に貢献できる。又、貯玉等を行っている遊戯施設では、余りをそれに追加記録できる。可動式なので、島端、カウンター等何処でも移動できる。遊戯結果に対して速やかに、又機械的に行うことにより正確、且つ安全に買取り遊戯結果に対する対価を支払うことができる。店内に設置できるので防犯上あんぜんである。【選択図】図１
2007029684.tif 000002
【特許請求の範囲】
【請求項１】
本機は、非接触型ＩＣモジュールの読み取り機能を備え計数機と現金払い出し機能を有する、ＬＡＮにてＰＣと接続されておりレートの設定、現金（景品）入出金管理、計数管理等が出来る遊戯業界においては初めての現金（景品）払い出し機である。
【発明の詳細な説明】
【技術分野】
【０００１】  利用者が発行されたカードもしくは景品（非接触型ＩＣモジュール実装）を投入することによって現金が払い出しできる機能を備えた払い出し機に関する
【背景技術】
【０００２】  従来は特殊景品の買取りを行う場合には、遊技場等からは離れた場所で行っていたため、強盗、盗難、傷害等ぼ事件が発生し易く、又人為的作業のため金銭上のトラブルもあった。
【発明の開示】
【発明が解決しようとする課題】
【０００３】  本払い出し機は、遊戯結果に対して速やかに、又機械的に行うことにより正確、且つ安全に買取り遊戯結果に対する対価を支払うことができる。
【課題を解決するための手段】
【０００４】  遊戯利用者が計数機を通し、その遊戯結果に対し希望する景品の内、換金に対してその場にて払い出しが可能になる。非接触型ＩＣモジュールを実装したカード及び景品を使用することにより、正確な計数の把握、偽造などの不正行為を防止できる。
【発明の効果】
【０００５】    その場での現金払い出しにより、何よりも買取り人の安全を確保でき、遊技場関係者は、その分省エネとなり本来のサービス業に従事することができる。
【発明を実施するための最良の形態】
【０００６】「実施形態の効果」
この実施形態によれば、従来の煩雑な計数管理や、在庫管理が容易になり、防犯の観点からもより安全となる。【０００７】「他の実施形態」
図１の実施形態では、現金が払い出されるようになっているが、景品払い出し機としての使用も可能である。また、利用記録として現金の入出金、カードなどの利用頻度を利用時間毎に記録し内臓したカメラと連動させ人物の特定も可能である。
【産業上の利用可能性】
【０００８】  この発明は、パチンコ、スロット等の遊戯施設の他にカジノ等でも使用が可能である。又、手動装置を装着することにより、質屋等の防犯が必要な業種でも使用できる。
【図面の簡単な説明】
【０００９】
【図１】この発明の一実施形態を示す斜視図である。
【符号の説明】
【００１０】１  カード（景品）投入口  ２  記録カウンター
３  本体                  ４  表示パネル
５  現金（景品）払い出し口
【図１】
2007029684.tif 000003
(57)【要約】      （修正有）【課題】蛸足の物干し器具で狭い所でも沢山の洗濯物を干せるようにする。蛸足の物干し器具を使わない時、簡単にアーム３を収納出来る様にする。【解決手段】従来、蛸足の物干し器具の上にしか付いていなかったフック１を上下１、２に付ける。それにより物干し器具を２段連結して使用する事が出来、従来の２倍の洗濯物を干す事が出来る。又、収納時下側のフック２を利用し、逆さまにぶら下げる事で自然に蛸足がすぼまる。【選択図】図２
2007029677.tif 000002
【特許請求の範囲】
【請求項１】
蛸足の物干しの下部にフック▲２▼を付け同じ蛸足の物干しを縦に２段ぶら下げ洗濯物をより多く干す事が出来る様にした。
【請求項２】
収納時は下部にフック▲２▼が付いているので逆さにぶら下げるだけで、いちいち蛸の足アーム▲３▼をまとめなくて良く、スライドリング▲４▼でアーム▲３▼をまとめる事が出来る。
【発明の詳細な説明】
【技術分野】
【０００１】本発明は、狭いところで洗濯物を干す場合蛸の足を２段にすれば、洗濯物が２倍干す事が出来るし、上下にフックが付いているので逆さにぶら下げれば収納時に蛸の足が自然にまとまり、邪魔に成らない様にした物のである。
【背景技術】
【０００２】従来はフックが上にしか付いていない、その為蛸足としては単独でしか使えない上、収納時は足が八方に開かない様に別に止め具が必要に成ってくる。又、高い所に干す場合器具の下部が持ちにくい構造になっていた。
【発明の開示】
【発明が解決しようとする課題】
【０００３】これは次の様な問題点があった。
従来の蛸足物干しは狭い所で沢山の洗濯物が干せるのが長所ではあるが、例えば部屋干しの場合、蛸足物干しを幾つもぶら下げる事が出来なし、高い所に干す場合、蛸足物干しの下部は持ちにくい。
又、収納時はアームがまとめにくく、止め具も痛んできてアームがパラパラと落ちて来るように成る。
本発明は、この課題を解消する為になされたものである。
【課題を解決する為の手段】
【０００４】従来の蛸足物干しをぶら下げる為のフックを上下▲１▼▲２▼に付ける事により縦に２段以上連結して使用出来る。
収納時は、下部フック▲２▼により逆さにぶら下げる事が出来、尚且つアーム▲３▼がばらけ無いようにスライドリング▲４▼を設けた蛸足物干しである。
【発明の効果】
【０００５】上下のフック▲１▼▲２▼により物干し器具を２段で使用する事が出来る為、特に部屋干しのような狭い場所でも沢山洗濯物を干す事が出来るし、高い所にぶら下げる場合でも下部フック▲２▼を持ち手に利用できる。又、収納時は下のフック▲２▼を利用し、逆さにぶら下げるだけでアームが小さく納まりスライドリング▲４▼によりバラける心配はない。
【発明を実施する為の最良の形態】
【０００６】以下、本発明の実施の形態について説明する
イ）従来蛸足物干しの上部にしか付いていなかったフックを心棒▲５▼の上下部▲１▼▲２▼に取り付ける。
ロ）下部のフック▲２▼を持ちやすい形状にする。
ハ）心棒▲５▼に上下移動するスライドリング▲４▼を取付け、スライドリングが行き過ぎない様にリング止め▲６▼を設ける。
【図面の簡単な説明】
【０００７】
【図１】「本発明を示した平面図である。」
【図２】「本発明を示した利用時断面図である。」
【図３】「本発明を示した収納時断面図である。」
【図４】「本発明の使用例を示した図である。」
【符号の説明】
▲１▼  上部フック
▲２▼  下部フック
▲３▼  アーム
▲４▼  スライドリング
▲５▼  心棒
▲６▼  リング止め
【図１】
2007029677.tif 000003
【図２】
2007029677.tif 000004
【図３】
2007029677.tif 000005
【図４】
2007029677.tif 000006
(57)【要約】【課題】障害物とならずに壁または柱等に貼り付けることができ、衝撃を受けても破損しにくく、しかも広角度の視野が得られ、ゴルフの打撃練習の際に後方の安全性を確認することに適した後方安全確認用ミラーを提供する。【解決手段】透明でかつ平坦なプラスチック（例えば、アクリル樹脂、ポリカーボネート樹脂、サイクリックポリオレフィン樹脂など）の平板あるいはシートの一方の面にフレネルレンズ構造が形成され、当該面の表面に金属薄膜層が形成されてなるゴルフボール打撃時の後方安全確認用ミラー。【選択図】  図１
2007029671.tif 000002
【特許請求の範囲】
【請求項１】
透明でかつ平坦なプラスチック製平板あるいはシートの、一方の面にフレネルレンズ構造が形成され、当該フレネルレンズ構造の表面に金属薄膜層が形成されてなるゴルフボール打撃時の後方安全確認用ミラー。
【発明の詳細な説明】
【技術分野】
【０００１】  本発明は、ゴルフボール打撃時の、打者後方の安全確認用ミラーに関するものである。
【背景技術】
【０００２】  ゴルフの打撃練習場などでは、ミラー等、打者後方の安全確認のための手段が設備されることもなく、打者のスウィングしたゴルフクラブが後方の人物に当たり、負傷させてしまう事故が頻発している。
【特許文献１】  特開平９−２６７８００号公報
【発明の開示】
【発明が解決しようとする課題】
【０００３】  本発明は、上記実情に鑑みなされたものであり、その解決課題は、障害物とはならずに壁または柱等に貼り付けることができ、衝撃を受けても破損しにくく、しかも広角度の視野が得られ、ゴルフの打撃練習の際に後方の安全を確認することに適した、後方安全確認用ミラーを提供することにある。
【課題を解決するための手段】
【０００４】  本発明者は、上記課題に鑑み、鋭意検討した結果、特定の構造および構成を有するミラーによれば、上記課題を容易に解決できることを見出し、本発明を完成するに至った。
すなわち、本発明の要旨は、透明でかつ平坦なプラスチック製平板あるいはシートの一方の面にフレネルレンズ構造が形成され、当該フレネルレンズ構造の表面に金属薄膜層が形成されてなるゴルフボール打撃時の後方安全確認用ミラーに存する。
【発明の効果】
【０００５】  本発明によれば、通常の鏡に比してはるかに小型で、障害物とはならず壁または柱などに貼り付けることができ、衝撃を受けても破損しにくく、広角度の視野が得られ、ゴルフ打撃練習の際の後方安全を確認することに適したミラーを提供することができ、本発明の工業的価値は高い。
【発明を実施するための最良の形態】
【実施例】
【０００６】  本発明の後方安全確認用ミラーは、その一方の面にフレネルレンズ構造を形成した、透明かつ平坦なプラスチック平板あるいはシートをその素材とする。【０００７】  プラスチック平板あるいはシートの原料樹脂としては、アクリル樹脂、ポリカーボネート樹脂、サイクリックポリオレフィンなどの高透明樹脂が好ましい。【０００８】  プラスチック平板あるいはシートに対する成型方法としては、金型を用い、射出成型によって成型する方法、あるいは、あらかじめ平板またはシート状に成型された物に対して、同じく金型を用いて熱プレスする方法があるが、熱プレスによる方法が、微細なフレネルレンズ構造をより忠実に写す点において優れており、ミラーとして使用した際に、歪の少ない鮮明な像を得ることができる。【０００９】  さらに、フレネルレンズ構造を成型されたプラスチック平板またはシートをミラー化するためには、該フレネルレンズ構造の表面に金属薄膜層を形成する必要があるが、アルミニウム金属の蒸着による方法が特性面からもコスト面からも望ましい。【００１０】  本発明のフレネルレンズ構造を持つミラーは、広角視野を得るために、一方の面に凹レンズの構造を形成し、その表面にアルミニウムを蒸着、ミラー化することによって、該面の反対面からみて、凸面鏡の機能を与えるのであるが、安全確認ミラーとして重要なことはあくまでも後方視野に重点をおくことである。したがって、レンズの光学的中心点とミラーの中心点をずらせて、鏡に映る像の主要部分がゴルフボール以上の高さの部分となるように、ミラーの光学的中心点を鏡の下方に置く事が好ましい。
【産業上の利用可能性】
【００１１】  本発明のミラーは例えば、ゴルフ練習場におけるゴルフボール打撃時の後方安全確認用ミラーとして、好適に利用することができる。本ミラーは軽量、小型であり、障害物にはならず、破損しにくく、破損してもガラス製に比較して安全度はたかく、価格的に安価であり産業上の利用可能性は高い。
【図面の簡単な説明】
【００１２】
【図１】本発明ミラーの、使用方法の一例を示した図である。
【図２】図１における打者の見るミラーに写る像を模式的に示した図である。
【図３】本発明ミラーの表面の平面図である。
【図４】図３における矢印の方向から見た本発明ミラーの側面図である
【符号の説明】
【００１３】１  本発明ミラー
２  ゴルフボール打者
３  打者背後の人物
４  フレネルレンズ構造環状溝
５  透明プラスチック板
６  アルミニウム蒸着薄膜
７  アルミニウム蒸着薄膜保護用塗布層
【図１】
2007029671.tif 000003
【図２】
2007029671.tif 000004
【図３】
2007029671.tif 000005
【図４】
2007029671.tif 000006
(57)【要約】【課題】男性小用時の残尿により、パンツ股下部、および便器足元が濡れて汚れる。【解決手段】吸水性、保水性、柔軟性に優れた軽薄な布地（吸収パッド）を男性性器に常時、直接装着しておき、排尿後パンツ及び下着内に陰茎部を収納する際、残尿を吸収しパンツ及び便器足元を汚さない。また、陰嚢部から出る多量の汗を吸湿し清潔感と爽快感を得ることが出来る。【選択図】  図２
2007029626.tif 000002
【特許請求の範囲】
【請求項１】
健常男性の日常活動時間帯において、男性器に直接装着し、陰茎部を吸水性繊維で包み排尿後の残尿を吸収することを特徴とした筒状のパッド。
【請求項２】
前記の筒状のパッドと一体となって陰嚢部を包み、局部の汗を吸収することを特徴とした筒状、或いは袋状のパット。
【発明の詳細な説明】
【技術分野】
【０００１】
本発明は、健常男性が装着し、陰部を清潔に保つとともに、小便排出直後の残尿によりパンツ前部および便器周辺を汚さないための男性用下着である。
【背景技術】
【０００２】
従来、男性排尿時の残尿で、パンツ股下部分が濡れて黄ばみ、洗濯しても落ちない状態になっていた。また、便器足元周辺が汚れ、これの清掃が面倒で苦になっていたがこれらの問題を手軽に解決する方法がなかった。
【０００３】
男性器陰嚢部は多量に汗をかく部分であるが、下着、パンツ等で熱がこもり、多量の汗で不潔になる部位である。今までこの問題を物理的に解決する方法がなかった。
【０００４】
【特許文献１】特開２００２−３０６５２５公報
【特許文献２】特開２００３−１１６８９９公報
【発明の開示】
【発明が解決しようとする課題】
【０００５】
解決しようとする第１の問題点は、袋状になっているため排尿の都度、陰茎部から着脱する必要があり面倒なことである。
【０００６】
解決しようとする第２の問題点は、陰茎部に直接装着するため脱落の心配があることである。また、強く締め付けることで排尿しにくいことである。
【課題を解決するための手段】
【０００７】
上記第１の課題を解決するために、筒状パッドで陰茎部を包み、排尿時はパッドを指先でずらし陰茎先端をパッドから露出させて用を足す。排尿後は陰茎部全体をパッドで包み込んだ状態でパンツ内に収納する。
【０００８】
第２の課題を解決するために、男性器付け根部に固定することで陰嚢部の膨らみ等で脱落し難くなり安心感がある。
【発明の効果】
【０００９】
排尿直後の尿道内の残尿を全てパッドに吸収することでパンツ股下及び便器足下の汚染を防止することが出来る。
【００１０】
陰嚢部から出る多量の汗を吸着するため、従来の下着および陰部全体を清潔に保つことが出来る。
【００１１】
請求項１と同２を一体化し男性自身に装着することで、パッドの脱落を防止し、装着の爽快感をうることが出来る。
【発明を実施するための最良の形態】
【００１２】
男性器部分のみに装着するため小さく成型出来、また吸水性、保水性、柔軟性に優れた素材を使用することにより、軽く薄くなるため、違和感の無い装着を実現した。
【実施例１】
【００１３】
図１は本発明品の１実施例であって、１は脱落防止のため男性器付け根部分に柔らかくフィットさせる伸縮性のあるバンド、２は陰嚢部を包む吸湿パッド、３は陰茎部を包む残尿吸収パッドである。
【００１４】
図２は、本発明品を男性自身に装着している状況を示す。
【００１５】
図３は、小便排出時、指先で３残尿吸収パッドを捲り、陰茎先端を露出させて排尿している状況図である。
用便終了時は、陰茎全体を３残尿吸収パッドで包み込みパンツ及び下着内に収納する。.
【図面の簡単な説明】
【００１６】
【図１】尿切りパッド構成図
【図２】尿切りパッドを男性自身に装着した常態図
【図３】尿切りパッド装着時の排尿模様図
【符号の説明】
【００１７】
１  尿切りパッド脱落防止バンド部
２  吸湿パッド
３  残尿吸収パッド
【図１】
2007029626.tif 000003
【図２】
2007029626.tif 000004
【図３】
2007029626.tif 000005